【手続補正書】
【提出日】平成17年4月8日(2005.4.8)
【手続補正１】
【補正対象書類名】特許請求の範囲
【補正対象項目名】全文
【補正方法】変更
【補正の内容】
【特許請求の範囲】
【請求項１】
一対の梯子状の主脚間に天板を架け渡した可搬式作業台において、前記天板の長手方向にそって両端近傍に足底で感知できる幅を有する帯状突出部を設けたことを特徴とする可搬式作業台。
【請求項２】
天板の幅方向にそって両端近傍に足底で感知できる線状突出部を設けた請求項１記載の可搬式作業台。
【請求項３】
帯状突出部は、天板に一体に形成されることを特徴とする請求項１記載の可搬式作業台。
【請求項４】
帯状突出部は、断面台形状に形成されることを特徴とする請求項１または請求項３に記載の可搬式作業台。
【請求項５】
線状突出部は、天板の幅方向端部に装着される足場板カバーの端を板曲げや押出し成型時の加工により上方への折り曲げ部として形成されることを特徴とする請求項２記載の可搬式作業台。
【請求項６】
線状突出部を形成する折り曲げ部は、該折り曲げ部の側面が帯状突出部の端縁に当接することを特徴とする請求項１から請求項５のいずれかに記載の可搬式作業台。
【請求項７】
天板の幅方向にそって両端近傍に、足底で感知できる帯状突出板を着脱自在に取り付けたことを特徴とする請求項１記載の可搬式作業台。
【請求項８】
帯状突出板は、長さ方向にそってその中央を突出させた断面山形形状に形成することを特徴とする請求項７記載の可搬式作業台。
【手続補正２】
【補正対象書類名】明細書
【補正対象項目名】全文
【補正方法】変更
【補正の内容】
【発明の詳細な説明】
【発明の名称】可搬式作業台
【技術分野】
【０００１】
本発明は、建築工事現場、建築物の天井や壁面などの内外装作業、電気配線作業などに使用する可搬式作業台に関するものである。
【背景技術】
【０００２】
かかる可搬式作業台１は、従来、例えば図８に示すように、一対の支柱脚間に複数の踏み桟５を適宜間隔で取り付けて梯子状の主脚４を形成し、該梯子状の主脚４の一対間に長方形状の天板３を回動自在に取り付け、さらに、天板３と主脚４との間に途中で屈曲自在なステイ７を介装している。
【０００３】
また、天板３の四隅に棒状の手掛かり部材６を立設するとともに、天板３からの転落防止手段として手摺り２１を長手方向にそって立設している。
【０００４】
そして、使用時には主脚４を昇り、手掛かり部材６を掴んで、天板３の上に上りこの上に立って、または歩行しながら作業する。この場合、作業に気を取られるなどして天板３上で滑ったり、天板３の上に置いた工具などが滑って転落することを防止するために、天板３には全面にわたって適宜間隔で多数の滑り止め孔２が穿設することが一般に行われている（例えば特許文献１参照）。
【０００５】
【特許文献１】特開２００１−１５２６５９号公報
【発明の開示】
【発明が解決しようとする課題】
【０００６】
天板３は、例えば長手方向の長さが１ｍ５０ｃｍと、比較的長いものであり、この上で作業した場合、作業に気を取られると足元がおろそかになりやすく、その結果、天板３から足を踏み外して転落する危険が生じる。この危険防止に関しては、前記のように天板３の長手方向については、手摺り２１を別途取り付けているが、長手方向の両側が手摺り２１で塞がれることになり、作業に支障を来す場合もある。
【０００７】
また、長手方向についても常に手摺りが取り付けられるとは限らず、さらに、天板３の特に妻側（幅方向）は主脚４との昇降面となるために、ここに補助手摺りを設けることは作業の妨げとなることから、行われにくく、妻側における踏み外しによる転落防止手段として従来、有効な手だては考えられていなかった。
【０００８】
なお、滑り止め孔２は、滑り止め防止の作用効果はあるが、直径が１４ｍｍ程度と小さいものであるため、この程度の大きさの孔ではこの孔を踏んでも足裏で孔の存在を感知することは困難であり、この孔を転落防止の報知手段とすることはできない。
【０００９】
本発明の目的は前記従来例の不都合を解消し、昇降や天板上での作業に支障を来すことがなく、天板からの踏み外しによる転落を確実に防止でき、しかも躓きにくく安全な可搬式作業台を提供することにある。
【課題を解決するための手段】
【００１０】
本発明は前記従来例の不都合を解消するものとして、本発明は、第１に、一対の梯子状の主脚間に天板を架け渡した可搬式作業台において、前記天板の長手方向にそって両端近傍に足底で感知できる幅を有する帯状突出部を設けたことを要旨とするものである。
【００１１】
請求項１記載の本発明によれば、天板上で作業して、天板の長手方向に端部にさしかかると、ここに形成してある一定の幅を有する帯状突出部の存在を足裏の感覚で知ることができる。よって、足元を目で直接見なくても足裏感覚で天板の長手方向の端部に来たことを知り、歩行を停止するなどして足元に注意を払うなどするから、天板から足を踏み外すことを防止できる。そして、突出部は帯状に形成したから、天板の長手方向端部にそって連続して形成されることになり、長手方向端部のどの箇所でも感知できる。
【００１２】
第２に、天板の幅方向にそって両端近傍に足底で感知できる線状突出部を設けたことを要旨とするものである。
【００１３】
請求項２記載の本発明によれば、天板上で作業して、天板の主脚側の端部にさしかかると、ここに形成してある線状突出部の存在を足裏の感覚で知ることができる。よって、足元を目で直接見なくても足裏感覚で天板の妻側の端部に来たことを知り、歩行を停止するなどして足元に注意を払うなどするから、天板から足を踏み外すことを防止できる。そして、突出部は線状に形成したから、天板の幅方向端部にそって連続して形成されることになり、幅方向端部のどの箇所でも感知できる。
【００１４】
第３に、帯状突出部は、天板に一体に形成されることを要旨とするものである。
【００１５】
請求項３記載の本発明によれば、前記作用に加えて、帯状突出部は、天板の製造時に塑性加工などで予め一体に形成できるから、形成容易である。
【００１６】
第４に、帯状突出部は、断面台形状に形成されることを要旨とするものである。
【００１７】
請求項４記載の本発明によれば、前記作用に加えて、帯状突出部は、断面台形状に形成されるから、天板の曲げ剛性を向上できるだけでなく、突出部の側面が傾斜面となることで躓きにくくなり、安全である。
【００１８】
第５に、線状突出部は、天板の幅方向端部に装着される足場板カバーの端を板曲げや押出し成型時の加工により上方への折り曲げ部として形成されることを要旨とするものである。
【００１９】
請求項５記載の本発明によれば、前記作用に加えて、線状突出部は、足場板カバーの端の上方への板曲げやアルミニウム型材として押出し成型する際の加工により上方への折り曲げ部が形成されるから、形成容易である。
【００２０】
第６に、線状突出部を形成する折り曲げ部は、該折り曲げ部の側面が帯状突出部の端縁に当接することを要旨とするものである。
【００２１】
請求項６記載の本発明によれば、前記作用に加えて、線状突出部を形成する折り曲げ部の側面が帯状突出部の端縁に直角に突き当たることで、帯状突出部の端縁処理が行いやすくなる。
【００２２】
第７に、天板の幅方向にそって両端近傍に、足底で感知できる帯状突出板を着脱自在に取り付けたことを要旨とするものである。
【００２３】
請求項７記載の本発明によれば、請求項２と同様に天板上で作業して天板の主脚側の端部にさしかかると、ここに取り付けてある帯状突出板の存在を足裏の感覚で知ることができる。よって、足元を目で直接見なくても足裏感覚で天板の妻側の端部に来たことを知り、歩行を停止するなどして足元に注意を払うなどするから、天板から足を踏み外すことを防止できる。そして、突出板は一定の幅を有する板としてあるから、天板の幅方向端部にそって一定の幅で存在することになり、足裏の広い範囲で確実に感知できる。
【００２４】
請求項８記載の本発明は、帯状突出板は、長さ方向にそってその中央を突出させた断面山形形状に形成することを要旨とするものである。
【００２５】
請求項８記載の本発明によれば、帯状突出板は長さ方向にそってその中央が出っ張るから、中央に線状の突出部がさらに形成され、この出っ張りによってより確実に帯状突出板の存在を認識できる。
【発明の効果】
【００２６】
以上述べたように本発明の可搬式作業台は、手摺りを設けずに天板からの踏み外しによる転落を確実に防止でき、昇降や天板上での作業に支障を来すことがなく、しかも躓きにくく安全なものである。
【発明を実施するための最良の形態】
【００２７】
以下、図面について本発明の実施形態を詳細に説明する。図１は、本発明の可搬式作業台の実施形態を示す要部である天板の平面図、図２は本発明の可搬式作業台の実施形態を示す斜視図で、本発明の可搬式作業台１の基本構造は図８について説明した従来例と基本的には同様であり、一対の梯子状の主脚４と、該一対の主脚４の上部間に架け渡す天板３とで構成し、天板３には多数の滑り止め孔２が適宜間隔で全面にわたって穿設してある。
【００２８】
また、天板３の四隅、すなわち主脚４と天板３との昇降口に棒状の手掛かり部材６を立設した。これら、主脚４、天板３および手掛かり部材６は材質としてはアルミニウム合金を使用する。
【００２９】
本発明はかかる構成の可搬式作業台において、図１、図３に示すように天板３の長手方向に両端近傍にそって全長にわたり足底で感知できる幅を有する帯状突出部８を、踏み外し防止部材として設けた。
【００３０】
この帯状突出部８は、天板３の製造時に塑性加工などで予め一体に形成し、形状は一例として靴をはいた状態での足裏で感知できるよう、所定の幅を有するものとして、上面の幅が１０ｍｍ程度の断面台形状に形成し、突出部の側面を傾斜面８ａとした。このように、帯状突出部８の側面を傾斜面８ａとすることで躓きにくくなり、安全であるだけでなく、天板３の曲げ剛性も向上できる。
【００３１】
なお、この天板３の長手方向に両端部にそって全長にわたり形成する突出部は前記のような帯状のものだけでなく、幅の細い線状のものに形成することも可能である。
【００３２】
また、本発明では図１、図４に示すように天板３の幅方向に両端近傍にそって全長にわたり足底で感知できる線状突出部９を踏み外し防止部材として設けた。この線状突出部９は、例えば、天板３の幅方向端部に全長にわたって装着される断面略コ字形の足場板カバー１０の上端縁を上方に直角に折り曲げた折り曲げ部により形成され、または、天板３をアルミニウムの押出し型材で製作する場合は、押出し加工により成型時に折り曲げ部として一体に形成される。なお、この箇所に設ける突出部は、線状に限定されるものではなく、例えば足場板カバー１０の先端をさらに水平に折り曲げることで前記のような帯状にすることもできる。
【００３３】
そして、図１に示すように帯状突出部８の端縁が折り曲げにより形成される線状突出部９の側面に当接するように、帯状突出部８の長さおよび足場板カバー１０の幅を設定する。これにより、帯状突出部８はその端縁が線状突出部９の側面に直下に突き当たるから、帯状突出部８の端部処理が行いやすくなる。
【００３４】
さらに、図１、図３、図４に示すように天板３の妻側端部近傍で、帯状突出部８と線状突出部９の内側に踏み外し防止部材として足底で感知できる複数のボタン状の突起１１を適宜間隔で設ける。このボタン状の突起１１は、ボタン状の突出部に形成するもので、天板３の製造時に塑性加工などにより一体に膨出させてボタン状の突出部とすることもできるが、天板３とは別体のものとしてキャップと脚部とで形成するようにしてもよく、別体とした場合は、天板３に形成してある滑り止め孔２を利用し、この滑り止め孔２にキャップ状の突起１１を挿着する。
【００３５】
このボタン状の突起１１は、例えば上面を平面に形成した高さが３〜１０ｍｍ程度、平面の部分の径が１０〜３０ｍｍ程度で全体が台形状のものとし、平面形状は円形でも矩形でもよい。
【００３６】
前記ボタン状の突起１１による踏み外し防止部材は、天板３と別体のものとした場合は、複数の突起１１を個別的に滑り止め孔２に差し込むものであるが、この複数の突起１１が設けられる箇所、すなわち妻側端部近傍に位置させて天板３に、図５〜図７に示すようにボタン状の複数の突起１２が適宜間隔で設けられ、足底で感知できる帯状突出板１３を取り付けることもできる。
【００３７】
この帯状突出板１３は、アルミニウム合金などを材質とするもので、突起１２は、細長板状の本体１３ａの成形時に一体に成形する。また、天板３への取り付け用のビス孔１４を本体１３ａの長さ方向の両端近傍に形成しておき、このビス孔１４にビス１５を挿入して天板３に帯状突出板１３を取り付ける。天板３への取り付けには天板３に穿設してある滑り止め孔２を利用する。
【００３８】
さらに帯状突出板１３は長さ方向にそってその中央を突出させ、全体を断面山形形状に形成する。山形の頂部は図示のように線状が形成されるようにしてもよいが、アール状とすることも可能である。
【００３９】
次に作用について説明すると、天板３上で作業する作業者は、作業の進行に追随して天板３上を歩行するが、作業しながら歩行する場合は、作業に気を取られて足元には注意がおよばないことが多い。かかる場合、天板３の主脚４側である妻側端部にさしかかると、ここに幅方向に形成してある線状突出部９やボタン状の突起１１の存在を足裏の感覚で知る。
【００４０】
線状突出部９は足場板カバー１０の厚さ分だけの尖ったものであるから、靴を履いたままの足裏でも感知でき、また、ボタン状の突起１１も上面を平面に形成した高さが３〜１０ｍｍ程度、平面の部分の径が１０〜３０ｍｍ程度で全体が台形状に形成してあるから、靴を履いたままでも足裏でその存在を十分に認識できる。そして、線状突出部９は天板３の幅方向の全長にわたって形成してあるから、幅方向のどの位置でも認識できる。
【００４１】
よって、足元を目で直接見なくても足裏感覚で天板３の長手方向の端部に来たことを知り、歩行を停止するなどして足元に注意を払うなどするから、天板３から足を踏み外すことを防止できる。この場合、線状突出部９の内側にボタン状の突起１１が位置するから、天板３の上を妻側に歩行する作業者は、まず、ボタン状の突起１１を踏んでから次に線状突出部９を踏むことになり、ボタン状の突起１１を最初に踏むことで妻側に近づいていることを知り、線状突出部９を踏む際にこれに躓くことを防止でき、安全性を確保できる。
【００４２】
また、天板３上を歩行して、天板３の長手方向に沿う端部にさしかかると、ここに形成してある帯状突出部８を踏み、足裏感覚で天板３の長手方向に沿う端部に来たことを知る。この場合、帯状突出部８は所定の幅を有するから、靴を履いたままでも足裏でその存在を十分に認識でき、しかも天板３の長手方向の全長にわたって形成されているから、どの位置に足を置いても感知できる。
【００４３】
そして、帯状突出部８の側面は傾斜面８ａに形成してあるから、爪先が帯状突出部８に当たっても、当たる箇所は傾斜面８ａであるから、垂直面とした場合に比較して、傾斜にそって爪先を帯状突出部８の頂部に移行させることができ、つまずくことを防げる。
【００４４】
また、天板３の主脚４側である妻側端部に、帯状突出板１３をビス１５で取り付けた場合は、天板３上で作業して妻側端部にさしかかると、帯状突出板１３の上に突出しているボタン状の突起１２を踏むと同時に、山形の本体１３ａの傾斜面や頂部を踏むから、突起１２や頂部の出っ張りや傾斜を足底で感知する。これにより、足元を直接見なくても足裏感覚で天板３の妻側の端部にさしかかったことを知り、注意を払う。
【図面の簡単な説明】
【００４５】
【図１】本発明の可搬式作業台の実施形態を示す要部である天板の平面図である。
【図２】本発明の可搬式作業台の実施形態を示す斜視図である。
【図３】本発明の可搬式作業台の実施形態を示す要部である天板の側面図である。
【図４】本発明の可搬式作業台の実施形態を示す要部である天板の一部の縦断正面図である。
【図５】本発明の可搬式作業台の実施形態を示す要部である天板妻側の斜視図である。
【図６】本発明の可搬式作業台の実施形態を示す要部である帯状突出板の平面図である。
【図７】本発明の可搬式作業台の実施形態を示す要部である帯状突出板の取り付け状態の縦断側面図である。
【図８】従来の可搬式作業台の斜視図である。
【符号の説明】
【００４６】
１…可搬式作業台                ２…滑り止め孔
３…天板                        ４…主脚
５…踏み桟                      ６…手掛かり部材
７…ステイ                      ８…帯状突出部
８ａ…傾斜面
９…線状突出部                  １０…足場板カバー
１１…ボタン状の突起            １２…突起
１３…帯状突出板                １３ａ…本体
１４…ビス孔                    １５…ビス
２１…手摺り